(57)【特許請求の範囲】
【請求項１】
付属品に固定的に取り付けまたは付属品に一体形成され、中心軸を有するリングであって、第１の装着面と、前記中心軸に向けておよび前記装着面から離れるように傾いている先細り面と、が当該リング上に画定されているリングと、
前記付属品が取り付けられる機器に形成された第２の装着面に固定的に取り付けられる環状部材であって、前記付属品が取り付けられるときに前記先細り面の少なくとも一部に同心に面するような寸法で作製された内面を有し、外面から前記内面まで前記環状部材を通じて延びる複数の間隔を離して配置された半径方向の貫通穴を有する環状部材と、
前記複数の半径方向の貫通穴内に配設された対応する複数のばね付勢されたピンであって、各ばね付勢されたピンは、頭部、前記先細り面を係合する円錐形の先端、および前記先細り面と係合する方向と逆方向に前記ピンを付勢するばねを備える、複数のばね付勢されたピンと、
前記環状部材の周りに配設され、前記環状部材の前記外面に対向するように構成された内面を備えた回転プレートであって、前記回転プレートの内面は、内側で円周方向に形成された複数の傾斜面を有するとともに、前記複数のばね付勢されたピンの前記頭部を受け入れるように構成されている、回転プレートとを備え、
前記回転プレートは、傾斜面が前記ばね付勢されたピンに半径方向内向きの力を加えない第一の位置から、各傾斜面が対応する貫通穴を通じて内向きに前記ばね付勢されたピンのうちの１つを縦方向に変位させる取り付け位置まで回転可能であり、前記ばね付勢されたピンの前記円錐形の先端が前記リングの前記先細り面を係合し、係合することによって前記機器に対して前記付属品を動かなくするようになっていることを特徴とする付属品を取り付ける装置。
【請求項２】
請求項１に記載の付属品を取り付ける装置であって、前記リングは、前記機器から流れて前記付属品が受け取る流体が通る入口を画定することを特徴とする付属品を取り付ける装置。
【請求項３】
請求項１に記載の付属品を取り付ける装置であって、前記機器は、温度制御された空気を強制噴射するシステムの頭部ユニットを備えることを特徴とする付属品を取り付ける装置。
【請求項４】
請求項１に記載の付属品を取り付ける装置であって、１つ以上のばね付勢されたピンが止め部を通り越して円周方向に摺動するのを防ぐことによって前記回転プレートの回転を規制するように前記回転プレートの前記内面で傾斜面の終わりに形成された１つ以上の止め部をさらに備えたことを特徴とする付属品を取り付ける装置。
【請求項５】
請求項１に記載の付属品を取り付ける装置であって、前記付属品は、パイプまたは可撓性ホースのうちの一方を備えることを特徴とする付属品を取り付ける装置。
【請求項６】
請求項１に記載の付属品を取り付ける装置であって、前記付属品は、温度制御された環境内で被測定デバイスを取り囲む囲いを備えることを特徴とする付属品を取り付ける装置。
【請求項７】
請求項１に記載の付属品を取り付ける装置であって、前記複数のばね付勢されたピン、および半径方向の貫通穴は、前記環状部材の前記内面の周りに等間隔に配置されることを特徴とする付属品を取り付ける装置。
【請求項８】
請求項１に記載の付属品を取り付ける装置であって、前記複数の傾斜面は、取り付け位置においてばねで付勢されたピンを受け入れるとともにばねで付勢されたピンが動くのを防ぐために、前記複数の傾斜面に形成された移動止めを有することを特徴とする付属品を取り付ける装置。
【請求項９】
流体を冷却する装置と、
前記流体を冷却する装置の動作、および前記流体を冷却する装置からの流体の流れを制御する制御装置と、
冷却された流体を排出する出口、頭部ユニットの装着面に固定的に取り付けられるとともに前記出口の周りに配設される内面および外面を備えた環状部材、ならびに前記環状部材を通じて前記外面から前記内面まで延びる複数の間隔を離して配置された半径方向の貫通穴を備える頭部ユニットと、
前記複数の半径方向の貫通穴内に配設された対応する複数のばね付勢されたピンであって、各ばね付勢されたピンは、頭部、円錐形の先端、および前記ピンを前記環状部材の中心から離れる方向に付勢するばねを備える複数のばね付勢されたピンと、
前記環状部材の周りに配設され、前記環状部材の前記外面に対向するように構成された内面を備えた回転プレートであって、前記回転プレートの内面は、内側で円周方向に形成された複数の傾斜面を有するとともに、前記複数のばね付勢されたピンの前記頭部を受け入れるように構成されている、回転プレートと、
中心軸を有するリングを備えた付属品と、
を備え、
前記リングは、前記付属品の装着面に固定的に取り付けられ、または、前記付属品の装着面に一体に形成されており、
前記リングは、前記頭部ユニットの前記装着面に対向するように構成された装着面、および前記中心軸に向けておよび前記付属品の装着面から離れるように傾いているとともに、前記付属品が前記頭部ユニットに取り付けられるときに前記環状部材の前記内面に対向するように構成された先細り面を、画定しており、
前記回転プレートは、傾斜面が前記ばね付勢されたピンに半径方向内向きの力を加えない第一の位置から各傾斜面がその対応する半径方向の貫通穴を通じて前記ばね付勢されたピンの１つを内向きに縦に変位させる取り付け位置まで回転可能であり、前記ばね付勢されたピンの前記円錐形の先端が前記リングの前記先細り面を係合し、係合することによって前記頭部ユニットに対して前記付属品を動かないようにすることを特徴とする温度制御された流体を強制噴射するシステム。
【請求項１０】
請求項９に記載の温度制御された流体を強制噴射するシステムであって、前記リングは、機器から流れて前記付属品が受け取る流体が通る入口を画定することを特徴とする温度制御された流体を強制噴射するシステム。
【請求項１１】
請求項９に記載の温度制御された流体を強制噴射するシステムであって、１つ以上のばね付勢されたピンが止め部を通り越して円周方向に摺動するのを防ぐことによって前記回転プレートの回転を規制するように前記回転プレートの前記内面で傾斜面の終わりに形成された１つ以上の止め部をさらに備えたことを特徴とする温度制御された流体を強制噴射するシステム。
【請求項１２】
請求項９に記載の温度制御された流体を強制噴射するシステムであって、前記付属品は、パイプまたは可撓性ホースのうちの一方を備えることを特徴とする温度制御された流体を強制噴射するシステム。
【請求項１３】
請求項９に記載の温度制御された流体を強制噴射するシステムであって、前記付属品は、温度制御された環境内で被測定デバイスを取り囲む囲いを備えることを特徴とする温度制御された流体を強制噴射するシステム。
【請求項１４】
請求項９に記載の温度制御された流体を強制噴射するシステムであって、前記複数のばね付勢されたピン、および半径方向の貫通穴は、前記環状部材の前記内面の周りに等間隔に配置されることを特徴とする温度制御された流体を強制噴射するシステム。
【請求項１５】
請求項９に記載の温度制御された流体を強制噴射するシステムであって、前記複数の傾斜面は、前記取り付け位置においてばねで付勢されたピンを受け入れるとともにばねで付勢されたピンが動くのを防ぐために、前記複数の傾斜面に形成された移動止めを備えることを特徴とする温度制御された流体を強制噴射するシステム。
【発明の詳細な説明】
【技術分野】
【０００１】
本発明は、一般に、温度制御された空気処理機器などの処理機器に付属品を回転可能に取り付ける装置に関する。
【背景技術】
【０００２】
関連出願
本出願は、２０１６年８月１２に出願した米国特許出願第１５／２３５，７０７号の優先権を主張し、その出願は、２０１５年８月３１日に出願した米国仮特許出願第６２／２１２，０３７号の利益を主張するものであり、その内容は、あらゆる目的のために全体として本願に引用して援用する。
【０００３】
流体処理機器は、しばしば、様々なモジュール式の付属品と共に動作する。主機器に付属品を取り付けたり外したりすることは、時間がかかる過程であり得るとともに、レンチなどの締め付け工具の使用を必要とし得る。不可能でないにしても、処理機器に取り付けられる付属品の周りにレンチまたは他の締め付け機器をはめるのは面倒であり得る。
【発明の概要】
【発明が解決しようとする課題】
【０００４】
したがって、簡単な取り付けと既存の技術の不都合の回避とを実現する取り付け機構が必要とされている。取り付け機構が手動回転のみによって取り付けを行う場合、作業能力および作業効率を大きく改善することができる。
【課題を解決するための手段】
【０００５】
上記の既存の技術を用いて問題を克服する目的および特徴は、以下の、付属品を取り付ける装置の例示的で説明的な実施形態によって与えられる。そのような一実施形態では、付属品を取り付ける装置は、リング特徴と、環状部材と、１つ以上のばね付勢されたピンと、回転プレートとを備えることができる。リング特徴は、処理機器に連結される付属品に固定的に取り付けられまたは一体に形成され得る。リング特徴は、中心軸を画定することができるとともに、処理機器と接続するための装着面と、中心軸に向けておよび装着面から離れるように傾いている先細り面とを備える。環状部材は、処理機器に形成された装着面に固定的に取り付けることができ、その目的は、リング特徴の装着面と接続することである。
【０００６】
環状部材は、付属品が処理機器に取り付けられるときに、リング特徴の先細り面の少なくとも一部に同心に面するような寸法で作製された内面を有することができる。環状部材（例えば、装着リングなど）は、外面から内面まで環状部材を通じて延びる複数の間隔を離して配置された半径方向の貫通穴を有して構成することができる。貫通穴は、等しい間隔を離して配置することができ、または他の方法で付属品の幾何学的形状に応じて構成することができる。対応する複数のばね付勢されたピンを貫通穴内に配設することができ、各々は、一端にある頭部と、先細り面と係合するための他端にある円錐形の先端と、先細り面との係合に抵抗するようにそれぞれのピンを付勢するばねとを備える。
【０００７】
回転式プレートは、環状部材の周りに配設され、付属品が処理機器に取り付けられるときに環状部材の外面に対向するように寸法が作製されて配置された内面を備えることができる。回転式プレートの内面は、ばね付勢されたピンの１つ以上にそれぞれが対応する複数の傾斜を有することができる。傾斜は、回転式プレートの内面内で円周方向に形成することができるとともに、複数のばね付勢されたピンの頭部の少なくとも１つを受け入れるように構成することができる。プレートは、付属品が処理機器に取り付けられていないまたは取り付けられる位置の間で相互に回転することができる。プレートの回転によって、ピンを「高い」（プレートの内面と環状部材の外面の間の最小距離）傾斜位置と「低い」（プレートの内面と環状部材の外面の間の最大距離の距離）傾斜位置との間の傾斜面に沿って摺動させる。「低い」傾斜位置では、半径方向内向きの力は傾斜面によってばね付勢されたピンに加えられず、付属品はピンによって機器に固定されない。「高い」傾斜位置では、ピンとそれぞれの傾斜面との係合によって、それぞれのその貫通穴を通じてばね付勢されたピンを内向きに縦に変位させる半径方向内向きに向けられる力が行使されることになり、それによってばね付勢されたピンの円錐形の先端がリング特徴の先細り面を係合するようになっている。ばね付勢されたピンの円錐形の先端の係合によって、機器に対して付属品を動かないようにさせる。
【０００８】
別の実施形態では、リング特徴は、付属品によって処理機器から内部を通じて流体を受け入れることができる入口を画定する。
【０００９】
別の実施形態では、処理機器は、温度制御された空気を強制噴射するシステムの頭部ユニットを備える。
【００１０】
いくつかの実施形態では、回転式プレートは、ばね付勢されたピンの軌道がそれぞれの傾斜面の円周方向の経路に摺動するのを規制することによって、回転式プレートの回転しすぎを防ぐ傾斜面の片端または両端に形成された１つ以上の止め部の特徴を備えることができる。
【００１１】
別の実施形態では、回転式プレートは、ばね付勢されたピンの対応する頭部を受け入れる「高い」傾斜位置に形成された１つ以上の移動止めを有することができ、それによって移動止めは、ピンが付属品の取り付け位置から意図せずに動くのを防ぐ抵抗力を与える。
【００１２】
さらに別の実施形態では、温度制御された流体処理システムは、上記特定された流体を冷却する装置、制御装置、頭部ユニット、および付属品を取り付ける機構を備える。広範の付属品および機器が、本発明の取り付け機構を用いて取り付け可能である。いくつかの実施形態では、付属品には、物品または機器を試験するための温度制御された環境を実現するためのパイプ、可撓性ホース、天蓋、覆い、または他の囲いが含まれ得る。
【００１３】
前述および他の目的、特徴、および利点は、添付図面に示されるような各実施形態の以下のより詳細にわたる説明から明らかになろう。ここで、同じ参照符号は、概して、様々な図にわたって同一または構造的および／または機能的に類似する部分を示す。図は、必ずしも原寸に比例するわけでなく、むしろ各実施形態の原理を例示する強調がなされている。
【図面の簡単な説明】
【００１４】
【図１】温度制御された空気を強制噴射するシステムの概略斜視図である。
【図２】従来の付属品を取り付ける機構の概略斜視図である。
【図３】取り付けられた状態、閉じられた状態、または組み立てられた状態における例示的な取り付け機構の概略正面図である。
【図４】図３に示された切断線に沿って切取られた図３に示した例示的な取り付け機構の概略断面である。
【図５】取り外された状態、開かれた状態、または分解された状態における取り付け機構の例示的な実施形態の概略正面図である。
【図６】取り付けられた状態、閉じられた状態、または組み立てられた状態における取り付け機構の例示的な実施形態の概略斜視図である。
【図７】取り付け機構の例示的な実施形態の概略的で部分的な斜視分解組立図である。
【図８】取り付け機構の例示的な実施形態の別の概略的で部分的な斜視分解組立図である。
【図９】付属品を取り付ける前の例示的な処理機器の頭部および付属品の概略断面図である。
【図１０Ａ】例示的なＴカップの付属品の図である。
【図１０Ｂ】例示的なＴカップの付属品の図である。
【図１１】例示的なパイプおよび／または可撓性ホースの付属品の図である。
【図１２】例示的な天蓋、覆い、または囲いの付属品の概略斜視図である。
【図１３】処理機器頭部、先細リング、環状部材、および回転プレートの例示的な実施形態の概略的な斜視分解組立図である。
【発明を実施するための形態】
【００１５】
後続の説明において、同じ構成要素は、異なる例にそれらが示されているかどうかに関わらず、同じ参照符号で与えられ得る。明確かつ簡潔なやり方で本開示の例を示すために、図面は必ずしも原寸に比例しない場合があり、いくらかの特徴はいくぶん概略的な形態で示される場合がある。一例に関して説明および／または図示される特徴は、１つ以上の他の例においておよび／または他の例と組み合わせてもしくは他の例の特徴の代わりに同じやり方でまたは類似するやり方で使用することができる。ここで、本発明の目下の好ましい実施形態の参照が詳細になされ、その１つ以上の例は図面に示されている。各例は本発明を説明するために与えられ、本発明の限定として意図されていない。例えば、一実施形態の一部として図示または説明された特徴は、さらなる実施形態をさらに生むために別の実施形態において使用することができる。本説明は、本発明の範囲および趣旨の範囲内に含まれるようにそのような変更および変形を含むことが意図される。
【００１６】
図１は、温度制御された流体処理システム（例えば、空気を強制噴射するシステム）１０の概略斜視図を示す。いくつかの例示的な実施形態によれば、温度制御された空気を強制噴射するシステム１０は、マサチューセッツ州マンスフィールドのｉｎＴＥＳＴ  Ｔｈｅｒｍａｌ  Ｓｏｌｕｔｉｏｎｓ  Ｃｏｒｐｏｒａｔｉｏｎによって製造および販売されるようなＴＨＥＲＭＯＳＴＲＥＡＭ（登録商標）空気を強制噴射するシステム、または他の同様のシステムを備えることができる。
【００１７】
空気を強制噴射するシステム１０は、乾燥した冷却気体（例えば、空気）、または他の流体の流れを発生させる冷凍システムを含む冷却装置／制御装置ユニット１２を備えることができる。冷却された空気は、頭部ユニット１４の中に空気を向けるチューブおよびホースのシステム１６などの流体搬送機の中に向けることができる。頭部ユニット１４は、冷却された空気を加熱するための加熱器を備えることができ、それによって空気の温度を精密に制御することができる。温度制御された空気は、出口１８を通じて頭部１４から出て行くことができる。
【００１８】
頭部１４の出口１８へ交換可能な付属品を取り付けることが望ましい。図２は、従来の付属品を取り付ける機構の概略斜視図を含む。第１の装着リング２５は、付属品（図示せず）に固定的に取り付けるまたは一体に形成することができるとともに、第２の装着リング３６を通じて形成された穴から突き出る３つの延長された長さのつまみねじ３８によって固定することができる。第２の装着リング３６は、複数のねじ４０などによって、図示されるように頭部１４の端に固定的に取り付けることができる。この取り付け手段を用いた先のシステムでは、典型的な欠点には、つまみねじが曲がること、破損すること、ねじ山がすり減ること、および／または損失すること、位置合わせおよび流体的な封止の気密性が潜在的に劣化すること、ならびに操作者を怪我させることが含まれる。ボルトによって付属品と機器のしっかりした固定が実現できるが、ボルトは、外部の締め付け工具を通常用いて個々の取り付けおよび締め付けを必要とする。不可能でないにしても、処理機器に取り付けられる付属品に応じて、締め付け用のナットまたはボルトへレンチまたは他の締め付け機器をはめるのは面倒であり得る。
【００１９】
例えば、（図１、図１０Ａ、および図１０Ｂに示されるような）「Ｔカップ」熱キャップ付属品２２が、通常取り付けられる。Ｔカップ付属品２２は、取り付けられたときに頭部１４の出口１８からの強制噴射された空気などの流体が内部を通過する入口２６（図１０Ｂ）を備えることができる。付属品２２は、小さい温度制御された環境内で被測定デバイス（ＤＵＴ：ｄｅｖｉｃｅ  ｕｎｄｅｒ  ｔｅｓｔ）を取り囲むおよび少なくとも一部を囲むために使用することができる覆い２４を備えることもできる。図３を参照すると、付属品２２は、取り付け機構を介して頭部１４の出口端に取り付けることができ、この取り付け機構は、先細りまたは斜角付きのリング２８と、取り付けリングまたはカップなどの環状部材４２と、１つ以上のばね付勢されたピン４６Ａ〜４６Ｃと、回転プレート５２とを備えることができる。先細リング２８は、付属品２２の上装着面内に固定的に取り付けるまたは一体に形成することができる。
【００２０】
他の交換可能な付属品が、取り付け機構を介して頭部１４にやはり取り付けられてもよい。すなわち、様々な筐体、覆い、囲いおよび他の機器が、処理機器１０に取り付けられてもよい。例えば、図１１は、パイプおよび／または可撓性ホース３０を示しており、このパイプおよび／または可撓性ホース３０は、取り付け機構を介して頭部１４に取り付けるために、その端に斜角付きの円筒形の先細リング２８を備える。図１２に示された別の実施形態では、付属品２２は天蓋を備えることができ、覆いまたは囲い３２は先細リング２８を備えることができる。付属品２２の各構成は、付属品２２の装着面内に装着されたまたは一体に形成された先細リング２８を備える。
【００２１】
図９は、先細リング２８の先細りまたは斜角付きの面２９を示す。図４に示されるように、先細リング２８の斜角付きの面２９は、取り付けリング４２内に形成された貫通穴から突き出るばね付勢されたピン４６Ａ〜４６Ｃの円錐形の先端を係合するように構成されている。取り付けリング４２は、頭部１４の端に固定的に取り付けることができる。
【００２２】
図３から図８は、処理機器１０、例えば図１に示された空気を強制噴射するシステムに付属品２２を取り付けるために使用される「バヨネット」取り付け機構とも本明細書中で呼ばれる改善された取り付け機構を示す。具体的には、図３は、取り付けられた状態、閉じられた状態、または組み立てられた状態における取り付け機構の概略正面図である。図４は、図３に示された切断線に沿って切取られた概略断面図である。図５は、取り外された状態、開かれた状態、または分解された状態における取り付け機構の概略正面図である。図６は、取り付けられた状態、閉じられた状態、または組み立てられた状態における取り付け機構の概略斜視図である。図７は、取り付け機構の概略的で部分的な斜視分解組立図である。図８は、取り付け機構の別の概略的で部分的な斜視分解組立図である。
【００２３】
図３から図８を参照すると、例示的な実施形態によれば、ほぼ円筒形の取り付けリング（またはカップ）４２は、例えばねじ４４によって、処理機器１０、具体的には頭部１４に固定的に取り付けることができる。取り付けリング４２は、付属品２２が頭部１４に取り付けられるときに、付属品２２上の先細リング２８を囲むように配置することができる。ピン４６Ａ〜４６Ｃのうちの１つ以上は、図示されるように、取り付けリング４２内の穴を通じてそれぞればね４７Ａ〜４７Ｃによってばね付勢される方法で配設することができる。ピン４６Ａ〜４６Ｃは、それぞればね４７Ａ〜４７Ｃのばね力に逆らってそれらのそれぞれの穴内で縦方向に摺動する。ピン４６Ａ〜４６Ｃは、付属品２２が頭部１４に取り付けまたは組み立てられるときに先細リング２８の斜角付きまたは先細り面２９を係合する円錐形の先端を有する。そのために、付属品２２が頭部１４に取り付けまたは組み立てられるときに、ピン４６Ａ〜４６Ｃは、ピン４６Ａ〜４６Ｃの円錐形の先端が先細リング２８の斜角付きの面２９を係合するように、それぞればね４７Ａ〜４７Ｃのばね力に逆らって縦方向に変位する。
【００２４】
例示的な実施形態によれば、ピン４６Ａ〜４６Ｃは、回転プレート５２の回転によって先細リング２８との係合に変位することができる。具体的には、回転プレート５２は、取り付けリング４２を取り囲むように配設される。組み立てまたは取り付け中に、付属品２２の先細リング２８は取り付けリング４２中の開口内に配設され、回転プレート５２は回転させられる。矢印５７によって図５に示された第１の取り付け方向に回転中、回転プレート５２上の傾斜４８は、その頭部でピン４６Ａ〜４６Ｃを係合し、回転プレート５２の傾斜面と取り付けリング４２およびピン４６Ａ〜４６Ｃの外面との間の距離の減少により、回転リング５２、取り付けリング４２、および先細リング２８の中心に対してピン４６Ａ〜４６Ｃを縦方向変位、すなわち半径方向変位させるようになっている。回転プレート５２が取り付けるために十分回転させられるとき、ピン４６Ａ〜４６Ｃの円錐形の先端は、処理機器１０の頭部１４に対して付属品２２を動かなくするように先細リング２８の斜角付きの面２９と十分に係合する。この固定または取り付けられた位置で、図３、図４、および図５に示されるように、ピン４６Ａ〜４６Ｃの頭部は、回転リング５２におけるそれぞれの傾斜４８の端にそれぞれの移動止め５０を係合することができる。
【００２５】
付属品２２を取り外すために、回転で取り付ける過程が逆にされる。すなわち、回転リング５２は、図３における矢印５９によって示された方向に回転させられる。回転リング５２がこの方向に回転させられると、ばね４７Ａ〜４７Ｃは、それらのそれぞれのピン４６Ａ〜４６Ｃを、回転リング５２、取り付けリング４２、および先細リング２８の中心から半径方向に離れるよう変位させる。この変位の結果として、ピン４６Ａ〜４６Ｃの円錐形の先端は、先細リング２８の斜角付きの面２９との係合から外れることになり、したがって、頭部１４から付属品２２を解除する。
【００２６】
いくつかの例示的な実施形態では、回転しすぎを防ぐために、止め部を備えることができる。具体的には、適宜の止め部５４は、図３に示されるように、取り付け位置、閉じられた位置、または組み立てられた位置を超える回転しすぎを防ぐために設けられてもよい。また、適宜の止め部５６は、図５に示されるように、取り外された位置、開かれた位置、または分解された位置を超える回転しすぎを防ぐために設けられてもよい。
【００２７】
図９は、いくつかの例示的な実施形態による、頭部１４に付属品２２を取り付ける前のシステム１０の頭部１４および付属品２２の概略断面図である。図９に示されるように、付属品２２は、そこに固定的に取り付けられた先細リング２８を備える。
【００２８】
図１０Ａおよび図１０Ｂは、いくつかの例示的な実施形態による、図１に示されるように付属品２２がＴカップ機器である場合における付属品２２の図である。やはり、付属品２２は、そこに固定的に取り付けられた先細リング２８を備える。
【００２９】
図１１は、いくつかの例示的な実施形態による、付属品２２がパイプおよび／または可撓性ホース３０である場合における付属品２２を示す。付属品２２、すなわち、パイプ／ホース３０は、例示的な各実施形態による取り付け機構を介して頭部１４に取り付けるために、その端に斜角付きの円筒形の先細リング２８を備える。
【００３０】
図１２は、いくつかの例示的な実施形態による、付属品２２が天蓋、覆い、または囲い３２である場合における付属品２２の概略斜視図である。やはり、付属品２２、すなわち天蓋、覆い、または囲い３２は、そこに固定的に取り付けられた先細リング２８を備える。
【００３１】
図１３は、いくつかの例示的な実施形態による頭部１４、先細リング２８、取り付けリング４２、および回転リング５２の概略的な斜視分解組立図である。
【００３２】
上記開示は様々な役立つ例であると現在考えられるものを説明するが、そのような詳細は、もっぱらそのためのものであり、添付の特許請求の範囲は開示された例に限定されないが、逆に、添付の特許請求の範囲の趣旨および範囲内にある変更および均等の構成を含むことが意図されることを理解されたい。
【００３３】
当業者は、本発明の趣旨または本質的な特徴から逸脱することなく、本発明を他の特定の形態に具体化することができることを理解されよう。したがって、前述の実施形態は、あらゆる点で本明細書に記載した本発明の限定ではなくその例示であると見なされるべきである。このため、本発明の範囲は、前述の説明によるのではなく添付の特許請求の範囲によって示され、したがって特許請求の範囲の均等の意味および範囲内にある全ての変更は、その中に包含するよう意図されるものである。
【００３４】
本明細書中に使用される要素、作用、または命令は、そのようなものとして明確に記載されていない限り、不可欠または本質的と解釈されるべきではない。また、本明細書中に使用されるとき、冠詞「ａ」および「ａｎ」は、１つ以上の項目を含むことが意図され、「１つ以上」と交換可能に使用することができる。さらに、本明細書中に使用されるとき、用語「セット」は、１つ以上の項目を含むことが意図され、「１つ以上」と交換可能に使用することができる。たった１つの項目が意図される場合、用語「１つ」または同様の言い回しが使用される。また、本明細書中に使用されるとき、用語「有する（ｈａｓ）」、「有する（ｈａｖｅ）」、「有する（ｈａｖｉｎｇ）」などは、オープンエンドの用語であることが意図される。さらに、「基づく」という語句は、特段明示されていない限り、「少なくとも一部に基づく」ことを意味するものである。
【図１】
0006785297.tif 000002
【図２】
0006785297.tif 000003
【図３】
0006785297.tif 000004
【図４】
0006785297.tif 000005
【図５】
0006785297.tif 000006
【図６】
0006785297.tif 000007
【図７】
0006785297.tif 000008
【図８】
0006785297.tif 000009
【図９】
0006785297.tif 000010
【図１０Ａ】
0006785297.tif 000011
【図１０Ｂ】
0006785297.tif 000012
【図１１】
0006785297.tif 000013
【図１２】
0006785297.tif 000014
【図１３】
0006785297.tif 000015